(57)【要約】  データ記録方法、その再生方法、そのデータ記録及び／または再生装置、及びその追記型の情報記録媒体を提供する。  本発明による追記型の情報記録媒体は、ユーザーデータを記録するための少なくとも一つのデータ領域、及びデータ領域にシーケンシャルレコーディングモード及び／またはランダムレコーディングモードでのユーザーデータの記録時、データ領域を複数のボーダに分けて使用するための記録管理情報を記録するための少なくとも一つの記録管理情報領域を備える。本発明による記録管理情報を追記型の情報記録媒体に記録して利用することによって、データ領域を複数のボーダ及び／または複数のレコーディングゾーンに分けて使用する場合、シーケンシャルレコーディングモード及びランダムレコーディングモードの二つのモードで追記型の情報記録媒体にデータを記録できるので、追記型の情報記録媒体の使用上便宜及び効率を向上させる。
2007519155.tif 000002
【特許請求の範囲】
【請求項１】
追記型の情報記録媒体において、
ユーザーデータを記録するための少なくとも一つのデータ領域と、
前記データ領域にシーケンシャルレコーディングモード及び／またはランダムレコーディングモードでのユーザーデータの記録時、前記データ領域を複数のボーダに分けて使用するための記録管理情報を記録するための少なくとも一つの記録管理情報領域とを備えることを特徴とする追記型の情報記録媒体。
【請求項２】
前記記録管理情報は、前記最後のボーダの開始アドレスと最後の記録アドレスとを含む最後のボーダエントリーを含み、
前記最後のボーダエントリーは、前記最後のボーダが再生専用の閉ボーダであるか、またはシーケンシャルレコーディングモード及び／またはランダムレコーディングモードのうちいずれか一つのモードで使われるボーダであるかを表す状態情報を含むことを特徴とする請求項１に記載の追記型の情報記録媒体。
【請求項３】
前記記録管理情報は、前記複数のボーダのうち、再生専用の閉ボーダの開始アドレスと最後の記録アドレスとを含む閉ボーダエントリーのリストを含むことを特徴とする請求項２に記載の追記型の情報記録媒体。
【請求項４】
前記最後のボーダエントリーは、前記最後のボーダがシーケンシャルレコーディングモードでレコーディングゾーン単位でデータが記録されたボーダである場合、前記最後のボーダに含まれた少なくとも一つのレコーディングゾーンの開始アドレスと最後の記録アドレスとを含む、最後のボーダの少なくとも一つのレコーディングゾーンエントリーのリストを含むことを特徴とする請求項２に記載の追記型の情報記録媒体。
【請求項５】
前記最後のボーダエントリーは、前記最後のボーダがランダムレコーディングモードでデータが記録されたボーダである場合、前記最後のボーダのデータ記録状態を表すビットマップを含むことを特徴とする請求項２に記載の追記型の情報記録媒体。
【請求項６】
前記追記型の情報記録媒体が最終化された場合、前記状態情報は、前記最後のボーダが閉ボーダであることを表すことを特徴とする請求項２に記載の追記型の情報記録媒体。
【請求項７】
再生専用の複数の閉ボーダと新たなデータの記録が可能な開状態にある最後のボーダとに分けられたデータ領域を含む追記型の情報記録媒体にデータを記録する方法において、
前記最後のボーダにシーケンシャルレコーディングモードまたはランダムレコーディングモードでユーザーデータを記録するステップと、
前記最後のボーダの開始アドレス、最後の記録アドレス、及び前記最後のボーダが再生専用の閉ボーダであるか、またはシーケンシャルレコーディングモードまたはランダムレコーディングモードのうちいずれか一つのモードで使われるボーダであるかを表す状態情報を含む最後のボーダエントリーを含む記録管理情報を生成及び記録するステップとを含むことを特徴とする方法。
【請求項８】
前記最後のボーダがシーケンシャルレコーディングモードでレコーディングゾーン単位でデータが記録されたボーダである場合、前記最後のボーダエントリーは、前記最後のボーダに含まれた少なくとも一つのレコーディングゾーンの開始アドレスと最後の記録アドレスとを含む、最後のボーダの少なくとも一つのレコーディングゾーンエントリーのリストを含むことを特徴とする請求項７に記載の方法。
【請求項９】
前記最後のボーダがランダムレコーディングモードでデータが記録されたボーダである場合、前記最後のボーダエントリーは、前記最後のボーダのデータ記録状態を表すビットマップを含むことを特徴とする請求項７に記載の方法。
【請求項１０】
前記最後のボーダエントリーは、前記最後のボーダが閉ボーダであるか、または開ボーダであるかを表す状態情報を含むことを特徴とする請求項７に記載の方法。
【請求項１１】
前記記録管理情報は、閉ボーダの開始アドレスと最後の記録アドレスとを含む閉ボーダエントリーのリストを含むことを特徴とする請求項７に記載の方法。
【請求項１２】
前記追記型の情報記録媒体が最終化された場合、前記状態情報は、前記最後のボーダが閉ボーダであることを表すことを特徴とする請求項７に記載の方法。
【請求項１３】
前記最後のボーダにシーケンシャルレコーディングモードでレコーディングゾーン単位でデータを記録する場合、
前記最後のボーダの開始位置から前記ユーザーデータが記録された最後の位置までの区間を最後の閉ボーダとして決定するステップと、
前記最後の閉ボーダに含まれた少なくとも一つのレコーディングゾーンを一つのレコーディングゾーンに合併するステップとを含み、
前記記録管理情報の生成及び記録ステップは、前記最後の閉ボーダの開始アドレスと最後の記録アドレスとを含む閉ボーダエントリーリストを含む記録管理情報を生成及び記録することを特徴とする請求項７に記載の方法。
【請求項１４】
再生専用の複数の閉ボーダと新たなデータの記録が可能な開状態にある最後のボーダとに分けられたデータ領域を含む追記型の情報記録媒体にデータを記録するデータ記録装置において、
前記追記型の情報記録媒体に／からデータを記録／読み取る記録／読み取り部と、
前記最後のボーダにシーケンシャルレコーディングモードまたはランダムレコーディングモードでユーザーデータを記録するように、前記記録／読み取り部を制御し、  前記最後のボーダの開始アドレス、最後の記録アドレス、及び前記最後のボーダが再生専用の閉ボーダであるか、またはシーケンシャルレコーディングモードまたはランダムレコーディングモードのうちいずれか一つのモードで使われるボーダであるかを表す状態情報を含む最後のボーダエントリーを含む記録管理情報を生成し、前記記録管理情報を前記追記型の情報記録媒体に記録するように、前記記録／読み取り部を制御する制御部とを備えることを特徴とする装置。
【請求項１５】
前記最後のボーダがシーケンシャルレコーディングモードでレコーディングゾーン単位でデータが記録されたボーダである場合、前記最後のボーダエントリーは、前記最後のボーダに含まれた少なくとも一つのレコーディングゾーンの開始アドレスと最後の記録アドレスとを含む、最後のボーダの少なくとも一つのレコーディングゾーンエントリーのリストを含むことを特徴とする請求項１４に記載の装置。
【請求項１６】
前記最後のボーダがランダムレコーディングモードでデータが記録されたボーダである場合、前記最後のボーダエントリーは、前記最後のボーダのデータ記録状態を表すビットマップを含むことを特徴とする請求項１４に記載の装置。
【請求項１７】
前記最後のボーダエントリーは、前記最後のボーダが閉ボーダであるか、または開ボーダであるかを表す状態情報を含むことを特徴とする請求項１４に記載の装置。
【請求項１８】
前記記録管理情報は、閉ボーダの開始アドレスと最後の記録アドレスとを含む閉ボーダエントリーのリストを含むことを特徴とする請求項１４に記載の装置。
【請求項１９】
前記追記型の情報記録媒体が最終化された場合、前記状態情報は、前記最後のボーダが閉ボーダであることを表すことを特徴とする請求項１４に記載の装置。
【請求項２０】
前記最後のボーダにシーケンシャルレコーディングモードでレコーディングゾーン単位でデータを記録する場合、
前記制御部は、前記最後のボーダの開始位置から前記ユーザーデータが記録された最後の位置までの区間を最後の閉ボーダとして決定し、前記最後の閉ボーダに含まれた少なくとも一つのレコーディングゾーンを一つのレコーディングゾーンに合併し、前記最後の閉ボーダの開始アドレスと最後の記録アドレスとを含む閉ボーダエントリーのリストを含む記録管理情報を生成することを特徴とする請求項１４に記載の装置。
【請求項２１】
前記制御部は、前記最後の閉ボーダを含む前記記録管理情報を所定の間隔で生成することを特徴とする請求項２０に記載の装置。
【請求項２２】
前記制御部は、ユーザーデータの臨界量が前記情報記録媒体に記録された後に、前記最後の閉ボーダを含む前記記録管理情報を生成することを特徴とする請求項２０に記載の装置。
【請求項２３】
複数のボーダに分けられたデータ領域を含む追記型の情報記録媒体に記録されたデータを再生する方法において、
前記追記型の情報記録媒体から最終的に記録された記録管理情報を読み取るステップと、
前記記録管理情報から前記複数のボーダのうち最後のボーダの開始アドレスと最後の記録アドレスとを得るステップと、
前記最後のボーダの開始アドレスと最後の記録アドレスとを利用して、最終的にアップデートされたファイルシステムの記録位置を決定するステップと、
前記ファイルシステムを読み取った後に再生するステップとを含むことを特徴とする方法。
【請求項２４】
前記記録管理情報は、
前記最後のボーダが再生専用の閉ボーダであるか、または新たなデータの記録が可能な開ボーダであるかを表す状態情報を含む最後のボーダエントリーを含むことを特徴とする請求項２３に記載の方法。
【請求項２５】
前記記録管理情報は、再生専用の閉ボーダの開始アドレスと最後の記録アドレスとを含む閉ボーダエントリーのリストを含むことを特徴とする請求項２３に記載の方法。
【請求項２６】
前記記録管理情報は、前記最後のボーダに含まれた少なくとも一つのレコーディングゾーンの開始アドレスと最後の記録アドレスとを含む、最後のボーダの少なくとも一つのレコーディングゾーンエントリーのリストを含むことを特徴とする請求項２３に記載の方法。
【請求項２７】
前記最終的にアップデートされたファイルシステムの記録位置を決定するステップは、
前記最後のボーダにいかなるデータも記録されていない場合、前記閉ボーダエントリーのリストから最終的にデータが記録された閉ボーダの開始アドレスと最後の記録アドレスとを得て、前記最終的にデータが記録された閉ボーダの開始アドレスと最後の記録アドレスとを利用して最終的にアップデートされたファイルシステムの記録位置を決定することを特徴とする請求項２５に記載の方法。
【請求項２８】
前記記録管理情報は、前記最後のボーダにデータがシーケンシャルレコーディングモードまたはランダムレコーディングモードのうちいずれか一つのモードで記録されたかを表す状態情報を含み、
前記状態情報に基づいて、前記最後のボーダに記録されたデータをシーケンシャルレコーディングモードまたはランダムレコーディングモードのうちいずれか一つのモードによって再生するステップを含むことを特徴とする請求項２４に記載の方法。
【請求項２９】
複数のボーダに分けられたデータ領域を含む追記型の情報記録媒体に記録されたデータを再生するデータ再生装置において、
前記追記型の情報記録媒体に記録されたデータを読み取る読み取り部と、
前記追記型の情報記録媒体から最終的に記録された記録管理情報を読み取るように前記読み取り部を制御し、前記記録管理情報に含まれた、前記複数のボーダのうち最後のボーダの開始アドレスと最後の記録アドレスとを利用して最終的にアップデートされたファイルシステムの記録位置を決定し、前記追記型の情報記録媒体から前記ファイルシステムを読み取るように前記読み取り部を制御する制御部とを備えることを特徴とする装置。
【請求項３０】
前記記録管理情報は、
前記最後のボーダが再生専用の閉ボーダであるか、または新たなデータの記録が可能な開ボーダであるかを表す状態情報を含む前記最後のボーダエントリーを含むことを特徴とする請求項２９に記載の装置。
【請求項３１】
前記記録管理情報は、再生専用の閉ボーダの開始アドレスと最後の記録アドレスとを含む閉ボーダエントリーのリストを含むことを特徴とする請求項２９に記載の装置。
【請求項３２】
前記記録管理情報は、前記最後のボーダに含まれた少なくとも一つのレコーディングゾーンの開始アドレスと最後の記録アドレスとを含む、最後のボーダの少なくとも一つのレコーディングゾーンエントリーのリストを含むことを特徴とする請求項２９に記載の装置。
【請求項３３】
前記制御部は、
前記最後のボーダにいかなるデータも記録されていない場合、前記閉ボーダエントリーのリストから最終的にデータが記録された閉ボーダの開始アドレスと最後の記録アドレスとを得て、前記最終的にデータが記録された閉ボーダの開始アドレスと最後の記録アドレスとを利用して最終的にアップデートされたファイルシステムの記録位置を決定することを特徴とする請求項３１に記載の装置。
【請求項３４】
前記記録管理情報は、前記最後のボーダにデータがシーケンシャルレコーディングモードまたはランダムレコーディングモードのうちいずれか一つのモードで記録されたかを表す状態情報を含み、
前記制御部は、前記状態情報に基づいて、前記最後のボーダに記録されたデータの再生モードを決定することを特徴とする請求項２９に記載の装置。
【請求項３５】
再生専用の複数の閉ボーダと新たなデータの記録が可能な開状態にある最後のボーダとに分けられたデータ領域を含む追記型の情報記録媒体にデータを記録する方法において、
前記最後のボーダにシーケンシャルレコーディングモードまたはランダムレコーディングモードでユーザーデータを記録するステップと、
前記最後のボーダの開始アドレス、最後の記録アドレス、及び前記最後のボーダが再生専用の閉ボーダであるか、またはシーケンシャルレコーディングモードまたはランダムレコーディングモードのうちいずれか一つのモードで使われるボーダであるかを表す状態情報を含む最後のボーダエントリーを含む記録管理情報を生成及び記録するステップとを含むことを特徴とする方法を実現させるためのプログラムを記録したコンピュータで読み取り可能な記録媒体。
【請求項３６】
複数のボーダに分けられたデータ領域を含む追記型の情報記録媒体に記録されたデータを再生する方法において、
前記追記型の情報記録媒体から最終的に記録された記録管理情報を読み取るステップと、
前記記録管理情報から前記複数のボーダのうち最後のボーダの開始アドレスと最後の記録アドレスとを得るステップと、
前記最後のボーダの開始アドレスと最後の記録アドレスとを利用して、最終的にアップデートされたファイルシステムの記録位置を決定するステップと、
前記ファイルシステムを読み取った後に再生するステップとを含むことを特徴とする方法を実現させるためのプログラムを記録したコンピュータで読み取り可能な記録媒体。
【請求項３７】
記録及び／または再生装置に利用するための追記型の情報記録媒体において、
それぞれ新たなデータが記録可能な開状態、または新たなデータが記録不可能な閉状態を有する複数個のボーダと、
前記複数個のボーダのうち最後のボーダが閉じられているか、または開いており、残りの複数個のボーダは閉じられ、前記複数個のボーダのうち最後のボーダのフォーマットが前記新たなデータを記録するために利用されるレコーディングモードのタイプによるように、前記複数個のボーダで前記データの記録を制御するために、前記再生装置により利用される情報を含む記録管理情報を含むことを特徴とする情報記録媒体。
【請求項３８】
前記レコーディングモードのタイプは、シーケンシャルレコーディングモードであることを特徴とする請求項３５に記載の情報記録媒体。
【請求項３９】
前記複数個のボーダのうち最後のボーダのフォーマットは、新たなデータの記録に利用される複数個のレコーディングゾーンを含み、
前記記録管理情報は、前記複数個のレコーディングゾーンのそれぞれについての開始アドレス及び最後の記録アドレス、最後のボーダを除いた複数個のボーダそれぞれについてのボーダの開始アドレス及びボーダの最後の記録アドレスを含むことを特徴とする請求項３６に記載の情報記録媒体。
【請求項４０】
前記レコーディングモードのタイプは、ランダムレコーディングモードであることを特徴とする請求項３５に記載の情報記録媒体。
【請求項４１】
前記複数のボーダのうち最後のボーダのフォーマットは、開状態であるとき、前記複数個のボーダのうち最後のボーダのクラスタのレコーディング状態を表すビットマップを含むことを特徴とする請求項４０に記載の情報記録媒体。
【請求項４２】
前記残りの複数個のボーダの前記記録管理情報は、前記残りの複数個のボーダそれぞれの開始アドレス及び最後の記録アドレスのみを含むことを特徴とする請求項４１に記載の情報記録媒体。
【請求項４３】
閉じられた前記残りの複数個のボーダの前記記録管理情報は、前記残りの複数個のボーダそれぞれのビットマップを含まずに、前記複数個のボーダの最後のボーダのビットマップに対して有効な保存量を増加させることを特徴とする請求項４１に記載の情報記録媒体。
【請求項４４】
前記複数個のボーダのうち最後のボーダの記録管理情報は、前記複数のボーダのうち前記最後のボーダが閉じられるか、または開いているかを表す状態情報、前記複数個のボーダのうち前記最後のボーダの開始アドレス、前記複数個のボーダのうち前記最後のボーダの最後の記録アドレスを含み、前記残りの複数個のボーダのうち前記記録管理情報は、前記残りの複数個のボーダのそれぞれの開始アドレス及び最後の記録アドレスを含むことを特徴とする請求項３７に記載の情報記録媒体。
【請求項４５】
前記状態情報は、前記複数個のボーダのうち最後のボーダがオープンであって、空いており、前記レコーディングモードのタイプをさらに表すことを特徴とする請求項４４に記載の情報記録媒体。
【発明の詳細な説明】
【技術分野】
【０００１】
本発明は、データ領域を複数のボーダに分けて使用可能な追記型の情報記録媒体に係り、特にデータ領域を複数のボーダに分けて使用する場合、シーケンシャルレコーディングモード及びランダムレコーディングモードでデータを記録するためのデータ記録方法、その再生方法、そのデータ記録及び／または再生装置、及びその追記型の情報記録媒体に関する。
【背景技術】
【０００２】
上書き可能な情報記録媒体は、データが既に記録された位置に新たなデータをオーバーライトできる。しかし、追記型の情報記録媒体は、データ記録領域に１回のみ記録可能な特性を有するので、オーバーライトできず、既に記録されたデータを削除または変更できない。
【０００３】
従来の技術によれば、データの再生互換性などの媒体使用の便宜を図るために、情報記録媒体に設けられたデータ領域を複数のボーダに分けて、ボーダ単位でユーザーデータを記録することもある。また、従来の技術によれば、シーケンシャルレコーディングモードでのデータ記録時、媒体のデータ領域をさらに効率的に使用するために、データ領域を複数のレコーディングゾーンに分けて、レコーディングゾーン単位でユーザーデータを記録することもある。
【０００４】
また、従来の技術によれば、追記型の情報記録媒体にデータを記録するモードとしては、シーケンシャルレコーディングモードとランダムレコーディングモードの二つがある。シーケンシャルレコーディングモードは、ユーザーデータを媒体のデータ領域に順次に記録する記録モードであり、ランダムレコーディングモードは、データ領域の空いている領域のうちランダムな位置にユーザーデータを記録する記録モードである。
【０００５】
従来の技術によれば、追記型の情報記録媒体の初期化時点で記録モードが選択される。一旦記録モードが選択された後には、その選択された記録モードでのみ追記型の情報記録媒体にデータが記録される。
【発明の開示】
【発明が解決しようとする課題】
【０００６】
本発明が解決しようとする課題は、データ領域を複数のボーダに分けて使用する場合、シーケンシャルレコーディングモード及びランダムレコーディングモードでデータを記録するための記録管理情報が記録された追記型の情報記録媒体を提供するところにある。
【０００７】
本発明が解決しようとする他の課題は、データ領域を複数のボーダに分けて使用する場合、シーケンシャルレコーディングモード及びランダムレコーディングモードでデータを記録するためのデータ記録方法及びそのデータ記録装置を提供するところにある。
【０００８】
本発明が解決しようとするさらに他の課題は、データ領域を複数のボーダに分けて使用する場合、シーケンシャルレコーディングモード及びランダムレコーディングモードでデータが記録された追記型の情報記録媒体の再生方法及びそのデータ再生装置を提供するところにある。
【課題を解決するための手段】
【０００９】
前記課題を解決するために、本発明による追記型の情報記録媒体は、ユーザーデータを記録するための少なくとも一つのデータ領域、及び前記データ領域にシーケンシャルレコーディングモード及び／またはランダムレコーディングモードでのユーザーデータの記録時、前記データ領域を複数のボーダに分けて使用するための記録管理情報を記録するための少なくとも一つの記録管理情報領域を備える。
【００１０】
前記他の課題を解決するために、本発明による追記型の情報記録媒体にデータを記録する方法は、前記最後のボーダにシーケンシャルレコーディングモードまたはランダムレコーディングモードでユーザーデータを記録するステップと、前記最後のボーダの開始アドレス、最後の記録アドレス、及び前記最後のボーダが再生専用の閉ボーダであるか、またはシーケンシャルレコーディングモードまたはランダムレコーディングモードのうちいずれか一つのモードで使われるボーダであるかを表す状態情報を含む最後のボーダエントリーを含む記録管理情報を生成及び記録するステップとを含む。
【００１１】
前記他の課題を解決するために、本発明によるデータ記録装置は、再生専用の複数の閉ボーダと新たなデータの記録が可能な開状態にある最後のボーダとに分けられたデータ領域を含む追記型の情報記録媒体にデータを記録するデータ記録装置において、前記追記型の情報記録媒体に／からデータを記録／読み取る記録／読み取り部と、前記最後のボーダにシーケンシャルレコーディングモードまたはランダムレコーディングモードでユーザーデータを記録するように、前記記録／読み取り部を制御し、前記最後のボーダの開始アドレス、最後の記録アドレス及び前記最後のボーダが再生専用の閉ボーダであるか、またはシーケンシャルレコーディングモードまたはランダムレコーディングモードのうちいずれか一つのモードで使われるボーダであるかを表す状態情報を含む最後のボーダエントリーを含む記録管理情報を生成し、前記記録管理情報を前記追記型の情報記録媒体に記録するように前記記録／読み取り部を制御する制御部とを備える。
【００１２】
前記さらに他の課題を解決するために、本発明によるデータ再生方法は、複数のボーダに分けられたデータ領域を含む追記型の情報記録媒体に記録されたデータを再生する方法において、前記追記型の情報記録媒体から最終的に記録された記録管理情報を読み取るステップ、前記記録管理情報から前記複数のボーダのうち最後のボーダの開始アドレスと最後の記録アドレスとを得るステップ、前記最後のボーダの開始アドレスと最後の記録アドレスとを利用して最終的にアップデートされたファイルシステムの記録位置を決定するステップ、及び前記ファイルシステムを読み取った後に再生するステップを含む。
【００１３】
前記さらに他の課題を解決するために、本発明によるデータ再生装置は、複数のボーダに分けられたデータ領域を含む追記型の情報記録媒体に記録されたデータを再生するデータ再生装置において、前記追記型の情報記録媒体に記録されたデータを読み取る読み取り部と、前記追記型の情報記録媒体から最終的に記録された記録管理情報を読み取るように前記読み取り部を制御し、前記記録管理情報に含まれた、前記複数のボーダのうち最後のボーダの開始アドレスと最後の記録アドレスとを利用して最終的にアップデートされたファイルシステムの記録位置を決定し、前記追記型の情報記録媒体から前記ファイルシステムを読み取るように前記読み取り部を制御する制御部とを備える。
【００１４】
本発明の付加的な特徴及び／または利点は、次の説明で部分的に説明され、一部は詳細な説明から自明であるか、または本発明を実行して知られうる。
【発明の効果】
【００１５】
本発明によるＲＭＤを追記型の情報記録媒体に記録して利用することによって、データ領域を複数のボーダ及び／または複数のレコーディングゾーンに分けて使用する場合、シーケンシャルレコーディングモード及びランダムレコーディングモードの二つのモードで追記型の情報記録媒体にデータを記録できるので、追記型の情報記録媒体の使用上便宜及び効率を向上させる。
【発明を実施するための最良の形態】
【００１６】
以下、添付された図面を参照して、本発明の実施形態を詳細に説明する。
【００１７】
図１は、本発明の一実施形態による単一記録層の追記型の情報記録媒体１００の構造の一例を示す図であり、図２は、本発明の一実施形態による二重記録層の追記型の情報記録媒体２００の構造の一例を示す図である。
【００１８】
図１に示すように、単一記録層の追記型の情報記録媒体１００は、リードイン領域、データ領域、リードアウト領域が内周から外周方向に設けられている。リードイン領域は、少なくとも一つのＦＤＭＡ（Ｆｉｎａｌｉｚｅｄ  Ｄｉｓｃ  Ｍａｎａｇｅｍｅｎｔ  Ａｒｅａ）及び記録管理領域を備える。図１において、リードイン領域は、ＦＤＭＡ１、ＦＤＭＡ２及びＲＭＤ（Ｒｅｃｏｒｄｉｎｇ  Ｍａｎａｇｅｍｅｎｔ  Ｄａｔａ）領域０を備える。データ領域は、スペア領域０、スペア領域１及びユーザー領域を備える。リードアウト領域は、リードイン領域と同様に、ＦＤＭＡ３、ＦＤＭＡ４及びＲＭＤ領域１を備える。
【００１９】
ＲＭＤ領域は、本発明によるＲＭＤを記録するための領域である。ＲＭＤについては後述する。
【００２０】
スペア領域は、ユーザー領域に記録されたユーザーデータに欠陥が発生した場合、欠陥が発生したユーザーデータを再び代替して再記録するために割り当てられた領域である。本実施形態において、少なくとも一つのスペア領域は、追記型の情報記録媒体１００の初期化時、データ記録及び／または再生装置により、またはユーザーの選択によりデータ領域に割り当てられる。
【００２１】
また、本実施形態において、スペア領域には、欠陥管理のために再記録されたユーザーデータ以外に臨時欠陥管理情報（Ｔｅｍｐｏｒａｒｙ  Ｄｉｓｃ  ＤｅｆｅｃｔＳｔｒｕｃｔｕｒｅ：ＴＤＤＳ）及び臨時欠陥情報（Ｔｅｍｐｏｒａｒｙ  ＤｅＦｅｃｔ  Ｌｉｓｔ：ＴＤＦＬ）を記録する。
【００２２】
ＴＤＤＳ（図示せず）は、ＴＤＤＳ識別子、アップデートカウンタ、最後のＴＤＦＬが記録されている位置情報、最後のＤｉｓｃ  ａｎｄ  Ｄｒｉｖｅ情報が保存されている位置情報、データ領域に割り当てられたスペア領域のサイズ情報などを含みうる。
【００２３】
ＴＤＦＬ（図示せず）は、ＴＤＦＬ識別子、アップデートカウンタ、欠陥因子の個数、欠陥因子などを含み、欠陥因子は、状態情報、欠陥クラスタの位置情報、代替クラスタの位置情報から構成され、状態情報は、欠陥の種類及び代替情報などを表す。
【００２４】
追記型の情報記録媒体が最終化されるまでは、スペア領域（スペア領域０及び／またはスペア領域１）に所定のアップデート時点ごとにＴＤＦＬ及びＴＤＤＳをアップデートして記録し、媒体が最終化されれば、最終的にアップデートされたＴＤＦＬ及びＴＤＤＳを少なくとも一つのＦＤＭＡ（ＦＤＭＡ１，ＦＤＭＡ２，ＦＤＭＡ３またはＦＤＭＡ４）にそれぞれＤＦＬ（Ｄｅｆｅｃｔ  Ｌｉｓｔ）及びＤＤＳ（ＤｉｓｃＤｅｆｅｃｔ  Ｓｔｒｕｃｔｕｒｅ）として記録する。ＦＤＭＡにＤＦＬ及びＤＤＳを記録することによって、上書き可能な媒体のための再生装置でも追記型の情報記録媒体を再生できる。
【００２５】
図２に示すように、二重記録層の追記型の情報記録媒体２００は、リードイン領域、第１データ領域（データ領域０）及び第１中間領域（中間領域０）を備える第１記録層Ｌ０と、第２中間領域（中間領域１）、第２データ領域（データ領域１）及びリードアウト領域を備える第２記録層Ｌ１とからなる。記録層Ｌ０，Ｌ１の構造は、図１に示した単一記録層の追記型の情報記録媒体１００の構造とほぼ類似している。ユーザーデータは、記録層Ｌ０のユーザー領域０の内周から外周方向に記録され、ユーザー領域０にそれ以上データを記録できなければ、記録層Ｌ１の外周から内周方向にユーザーデータが記録される。
【００２６】
図示していないが、媒体の使用のための初期化時点でデータ記録及び／または再生装置またはユーザーの決定によってＲＭＤのアップデート回数を増加させるために、データ領域にもＲＭＤ領域を割り当てることもできる。
【００２７】
図１及び図２に示した追記型の情報記録媒体には、ＲＭＤのみを記録するためのＲＭＤ領域が別途にリードイン領域及び／またはリードアウト領域などに割り当てられているが、ＲＭＤ領域にＴＤＤＳのような情報をＲＭＤと共に一つのクラスタに、または別途のクラスタに記録することもできる。
【００２８】
図３Ａ及び図３Ｂは、ＲＭＤ領域にＲＭＤをアップデートする方法を説明するための図である。図３Ａに示すように、ＲＭＤ＃０ないしＲＭＤ＃ｎが、例えば単一記録層の追記型の情報記録媒体、または二重記録層の追記型の情報記録媒体の第１記録層Ｌ０のうちいずれか一つにＲＭＤ領域のうち一つであるＲＭＤ  ３１０の内周から外周方向に記録されている。図３Ｂに示すように、ＲＭＤ＃０ないしＲＭＤ＃ｎが、例えば二重記録層の追記型の情報記録媒体の第２記録層Ｌ１であるＲＭＤ  ３３０の外周から内周方向に記録されている。
【００２９】
本実施形態では、追記型の情報記録媒体１００，２００上に複数のＲＭＤ領域が存在する場合、ＲＭＤ領域を連続的に使用する。すなわち、一つのＲＭＤ領域がいずれも使われるか、または充填された後、その次のＲＭＤ領域に新たにアップデートされたＲＭＤを記録する。
【００３０】
図２に示した二重記録層の追記型の情報記録媒体２００の場合、ＲＭＤ領域は、ＲＭＤ領域０、ＲＭＤ領域１、ＲＭＤ領域２及びＲＭＤ領域３の順に使われる。このように、複数個のＲＭＤ領域の使用順序及びそれぞれのＲＭＤ領域の使用方向を決めることによって、データ記録及び／または再生装置が二重記録層の追記型の情報記録媒体２００に最終的にアップデートされたＲＭＤをさらに迅速かつ容易にアクセスできる。
【００３１】
図４は、本発明の一実施形態によるＲＭＤフォーマットを示す図である。データ記録及び／または再生装置は、本発明によるＲＭＤを追記型の情報記録媒体に記録することによって、シーケンシャルレコーディングモード及びランダムレコーディングモードの二つのモードでデータを記録及び再生でき、本発明による追記型の情報記録媒体を複数のボーダに分けて使用できる。
【００３２】
図４に示すように、本実施形態によるＲＭＤ  ４００は、ＲＭＤヘッダ４１０、閉ボーダエントリーのリスト４３０及び最後の開ボーダの記録状態４５０を含む。ＲＭＤヘッダ４１０は、ＲＭＤ識別情報４１１、最後のボーダエントリー４１３及びボーダの個数４１５を含む。ＲＭＤ識別情報４１１は、ＲＭＤ領域に記録されたそれぞれのＲＭＤを区別するための情報である。
【００３３】
最後のボーダエントリー４１３は、本発明による追記型の情報記録媒体のデータ領域に設けられた複数のボーダのうち、最後に使われるボーダの位置及び状態を表す情報である。ボーダの個数４１５は、追記型の情報記録媒体に設けられた複数のボーダの総数を意味する。
【００３４】
本実施形態による追記型の情報記録媒体１００，２００は、ユーザー領域の使用方向によってボーダ単位で連続的に使われる。最後のボーダは、媒体に設けられた複数のボーダのうち、使用方向を基準として最後に使われるボーダをいう。したがって、常に最後のボーダのみが開ボーダであり、最後のボーダ以前のボーダは、いずれも閉状態となる。
【００３５】
図５は、図４に示した最後のボーダエントリー４１３の一例を示す図である。図５に示した最後のボーダエントリー４１３は、最後のボーダの状態を表す状態情報、最後のボーダの開始アドレス及びデータが記録された最後のアドレスであるＬＲＡ（Ｌａｓｔ  Ｒｅｃｏｒｄｅｄ  Ａｄｄｒｅｓｓ）を含む。開始アドレスは、ボーダの物理的な開始セクタアドレスをいう。ＬＲＡは、ボーダ内でデータが記録された最後の位置の物理的なセクタアドレスをいう。
【００３６】
最後のボーダエントリー４１３の状態情報は、最後のボーダが空いている状態であるか、ランダムレコーディングモードで使われているか、シーケンシャルレコーディングモードで使われているか、または最後のボーダが閉じられているかを表す情報である。閉ボーダエントリーのリスト４３０の閉ボーダエントリーは、閉ボーダの開始アドレスと最終的にデータが記録されたアドレスとを含み、最後のボーダの場合と異なり、状態情報は含まない。最後のボーダに対してのみ状態情報を含める理由は、既に閉ボーダに対してはそれ以上記録が行われず、再生専用でのみ使用されるので、いかなる記録モードで記録されたかは関係ないためである。さらに、最後のボーダが閉じているというのは、媒体が最終化されて再生専用でのみ使用されるということを意味する。
【００３７】
最後の開ボーダの記録状態４５０は、最後の開ボーダの記録状態を表す情報であって、最後の開ボーダにデータがシーケンシャルレコーディングモードで記録された場合及びランダムレコーディングモードで記録された場合によって、相異なる記録状態情報が記録される。
【００３８】
図６は、最後の開ボーダにランダムレコーディングモードでデータが記録された場合の閉ボーダエントリーのリスト４３０及び最後の開ボーダの記録状態４５０を示す図である。図６に示すように、閉ボーダエントリーのリストには、最後のボーダ以前に使われたボーダであって、閉状態にあるｋ個のボーダのエントリーであるＢＯＲＤＥＲ  ＥＮＴＲＹ＃１ないしＢＯＲＤＥＲＥＮＴＲＹ＃ｋ（ｋは、１以上の整数）を含む。
【００３９】
最後の開ボーダにランダムレコーディングモードでデータが記録された場合、最後の開ボーダの記録状態４５０には、最後の開ボーダの記録状態を表すために、ビットマップが含まれる。ビットマップは、データが記録されたクラスタ及び記録されていないクラスタに相異なるビット値を割り当てることによって生成される。クラスタは、追記型の情報記録媒体へのデータ記録及び再生の単位である。
【００４０】
図７は、最後の開ボーダにシーケンシャルレコーディングモードでデータが記録された場合の閉ボーダエントリーのリスト４３０及び最後の開ボーダの記録状態４５０を示す図である。図７に示すように、閉ボーダエントリーのリスト４３０には、最後のボーダ以前に使われたボーダであって、閉状態にあるｋ個のボーダのエントリーであるＢＯＲＤＥＲ  ＥＮＴＲＹ＃１ないしＢＯＲＤＥＲ  ＥＮＴＲＹ＃ｋ（ｋは、１以上の整数）を含む。
【００４１】
最後の開ボーダにシーケンシャルレコーディングモードでデータが記録された場合、最後の開ボーダの記録状態を表すために、最後の開ボーダに含まれたレコーディングゾーン（Ｒ−ＺＯＮＥ）のエントリーリストを含む。本実施形態では、最後の開ボーダにシーケンシャルレコーディングモードでデータを記録する場合、最後の開ボーダを少なくとも一つのＲ−ＺＯＮＥに分割した後、Ｒ−ＺＯＮＥ単位でデータを最後の開ボーダにシーケンシャルレコーディングモードで記録する。
【００４２】
また、図７に示すように、最後の開ボーダの記録状態４５０は、Ｒ−ＺＯＮＥ  ＥＮＴＲＹ＃（ｋ＋１）ないしＲ−ＺＯＮＥ  ＥＮＴＲＹ＃（ｋ＋ｎ）（ｋ及びｎは、１以上の整数）のｎ個のＲ−ＺＯＮＥ  ＥＮＴＲＹを含む。それぞれのＲ−ＺＯＮＥ  ＥＮＴＲＹ＃（ｋ＋１）ないし＃（ｋ＋ｎ）は、Ｒ−ＺＯＮＥの開始アドレスとＬＲＡとを含む。
【００４３】
一方、最後の開ボーダにシーケンシャルレコーディングモードでデータが記録された場合、図４のボーダの個数４１５は、ＲＭＤ  ４００での最後のボーダの開始Ｒ−ＺＯＮＥエントリー個数を表す。
【００４４】
図４に示したボーダの個数４１５は、最後のボーダエントリーの状態情報が、最後のボーダがランダムレコーディングモードで使用中であることを表すときは、最後の開ボーダの記録状態を表すビットマップがＲＭＤフォーマット内で始める位置を決定するのに利用できる。すなわち、最後の開ボーダのビットマップがＲＭＤフォーマット内で始まる位置は、次の式（１）のように計算できる。
【００４５】
最後のボーダのビットマップ開始位置＝（一つのボーダエントリーが占める長さ×（“ボーダの個数”−１））＋（“閉ボーダエントリーのリスト”が始まる位置）  （１）
また、最後のボーダエントリーの状態情報が、最後のボーダがシーケンシャルレコーディングモードで使用中であることを表すとき、ボーダの個数４１５は、最後の開ボーダの記録状態を表す“最後の開ボーダのＲ−ＺＯＮＥエントリーのリスト”で、一番目のＲ−ＺＯＮＥエントリーがＲＭＤフォーマット内で始まる位置を計算するのに利用できる。“最後の開ボーダのＲ−ＺＯＮＥエントリーのリスト”で、一番目のＲ−ＺＯＮＥエントリーがＲＭＤフォーマット内で始まる位置は、前記式（１）と同じ方式で次の式（２）によって計算される。
【００４６】
最後の（開）ボーダの一番目のＲ−ＺＯＮＥ開始位置＝（一つのボーダエントリーが占める長さ×（“ボーダの個数”−１））＋（“閉ボーダエントリーのリスト”が始まる位置）  （２）
前述したように、それぞれのボーダに対して開始アドレスとＬＲＡとを有するボーダエントリーをおくことによって、それぞれのボーダに対する開始アドレスとＬＲＡとが分かるので、データ記録及び／または再生装置は、本発明による追記型の情報記録媒体から最新のファイルシステムに関連した情報をさらに速かに得ることができる。
【００４７】
例えば、ＵＤＦ（Ｕｎｉｖｅｒｓａｌ  Ｄｉｓｋ  Ｆｏｒｍａｔ）ファイルシステムの場合、閉ボーダに対してそのアンカーポイントは、その閉ボーダ内の（１）論理的なセクタ番号２５６、（２）最後の論理的なセクタ番号−２５６、または（３）最後の論理的なセクタ番号のうち少なくとも二つでなければならない。したがって、ＵＤＦファイルシステムの場合、それぞれのボーダに対する開始アドレスとＬＲＡとが分かるので、データ記録及び／または再生装置は、ファイルシステムが記録された位置を容易に得ることができる。
【００４８】
さらに、ランダムレコーディングモードでデータが記録された最後のボーダを閉じるとき、既に閉ボーダに対するビットマップはＲＭＤに含めず、新たに生成された開ボーダに対するビットマップをＲＭＤに含めることによって、使用可能なボーダの数を最大限保証できる。すなわち、閉ボーダに対するビットマップをＲＭＤに含めれば、ＲＭＤに含まれるビットマップのデータ量は非常に多くなる。ＲＭＤのサイズが固定される場合、ＲＭＤに含まれるビットマップのデータ量が多くなることによって、Ｂｏｒｄｅｒ  ｅｎｔｒｙ＃１ないし＃ｋのための記録空間は縮小する。
【００４９】
したがって、本実施形態のように、閉ボーダに対するビットマップをＲＭＤに含めないことによって、Ｂｏｒｄｅｒ  ｅｎｔｒｙ＃１ないし＃ｋのための空間は増大する。したがって、追記型の情報記録媒体にさらに多くのボーダを割り当てることができる。
【００５０】
また、シーケンシャルレコーディングモードでデータが記録された最後のボーダを閉じるときには、そのボーダ内のあらゆるＲ−ＺＯＮＥを一つのＲ−ＺＯＮＥに合併して一つのＲ−ＺＯＮＥエントリー（ボーダエントリー）で表すことによって、開ボーダを追記型の情報記録媒体の効率性を最大化するために必要なほどＲ−ＺＯＮＥに分割できる。
【００５１】
例えば、ＲＭＤフォーマットのサイズが限定されており、一つのＲＭＤに含めうるＲ−ＺＯＮＥエントリーの個数を７０００個とするとき、一番目のボーダで５０００個のＲ−ＺＯＮＥを使用して５０００個のＲ−ＺＯＮＥエントリーをＲＭＤに含めれば、二番目のボーダは、２０００個のＲ−ＺＯＮＥしか使用できないであろう。しかし、本発明のように、ボーダを閉じるとき、そのボーダに含まれたＲ−ＺＯＮＥを一つのＲ−ＺＯＮＥに合併して一つのＲ−ＺＯＮＥ（＝ボーダ）エントリで表せば、二番目のボーダは、６９９９個のＲ−ＺＯＮＥを使用できて媒体使用の効率を向上させる。
【００５２】
図８Ａ及び図８Ｂは、本発明の一実施形態によってランダムレコーディングモードでデータが記録された最後のボーダが閉じられ、新たな最後のボーダが生成されたデータ領域を示す図である。
【００５３】
図８Ａは、ユーザーデータのｋ個の閉ボーダ及び開状態にある最後のボーダである（ｋ＋１）番目のボーダを示す図である。最後のボーダである（ｋ＋１）番目のボーダは、最初位置５０１から最後のデータが記録された位置５０３までランダムレコーディングモードによってデータが記録されている。データ領域に対応するＲＭＤに含まれた最後のボーダのビットマップは、図８Ａに示した通りである。本実施形態において、データが記録されたクラスタには、ビッド値‘１’を、データが記録されていないクラスタには、ビッド値‘０’を割り当てることによって、ビットマップは生成される。
【００５４】
図８Ｂは、図８Ａに示した最後のボーダである（ｋ＋１）番目のボーダが閉じられ、新たな最後の開ボーダである（ｋ＋２）番目のボーダが生成されたデータ領域を示す図である。（ｋ＋１）番目のボーダの範囲は、最初位置５０１から最後のデータが記録された位置５０３までである。データ領域に対応するＲＭＤに含まれた最後のボーダのビットマップは、図８Ｂに示した通りである。最後のボーダである（ｋ＋２）番目のボーダにいかなるデータも記録されていないので、ビットマップのあらゆるビット値は‘０’である。
【００５５】
図９Ａ及び図９Ｂは、本発明の一実施形態によってシーケンシャルレコーディングモードでデータが記録された最後のボーダが閉じられ、新たな最後のボーダが生成されたデータ領域を示す図である。図９Ａは、ｋ個の閉ボーダ５１０ないし５５０及び開状態にある最後のボーダである（ｋ＋１）番目のボーダを示す図である。最後のボーダである（ｋ＋１）番目のボーダは、（ｋ＋１）番目のＲ−ＺＯＮＥ  ５７１ないし（ｋ＋ｎ）番目のＲ−ＺＯＮＥ  ５７５を含む。最後のＲ−ＺＯＮＥである（ｋ＋ｎ）番目のＲ−ＺＯＮＥは、最初から所定位置までのみデータがシーケンシャルレコーディングモードで記録されている。したがって、二番目の位置は、最後のボーダエントリーのＬＲＡに対応する。
【００５６】
図９Ｂは、図９Ａに示した最後のボーダである（ｋ＋１）番目のボーダ５７０が閉じられ、新たな最後の開ボーダである（ｋ＋２）番目のボーダ５９０が生成されたデータ領域を示す図である。（ｋ＋１）番目のＲ−ＺＯＮＥ  ５７１から（ｋ＋ｎ）番目のＲ−ＺＯＮＥ  ５７５のデータが記録された最後の位置までが一つのＲ−ＺＯＮＥに合併されて、（ｋ＋１）番目のボーダとなる。すなわち、（ｋ＋１）番目のＲ−ＺＯＮＥ  ５７１の開始位置から（ｋ＋ｎ）番目のＲ−ＺＯＮＥ  ５７５のデータが記録された最後の位置までが閉状態の（ｋ＋１）番目のボーダとなる。
【００５７】
図１０は、図８Ｂ及び図９Ｂに示したように、以前の最後の開ボーダである（ｋ＋１）番目のボーダを閉じた後、追記型の情報記録媒体の記録管理状態を反映するＲＭＤ  ６２０の一例を示す図である。図１０に示したＲＭＤ  ６２０について説明すれば、追記型の情報記録媒体にいずれも（ｋ＋２）個のボーダがあり、最後のボーダエントリーには、新たな最後の開ボーダである（ｋ＋２）番目のボーダの状態情報、開始アドレス及びＬＲＡが含まれている。
【００５８】
データ記録及び／または再生装置は、図８Ｂ及び９Ｂに示したように、以前の最後のボーダである（ｋ＋１）番目のボーダが閉じられ、新たな最後の開ボーダである（ｋ＋２）番目のボーダがデータ領域に生成されれば、図８に示した以前のＲＭＤ  ６１０をアップデートして、図９に示したＲＭＤ  ６２０を生成した後、適当なＲＭＤ領域に記録する。ＲＭＤ  ６２０は、以前のＲＭＤ  ６１０に比べて最後の開ボーダが（ｋ＋２）番目のボーダとなることによって、最後のボーダエントリーが変更され、“ボーダの個数”が１ほど増加し、“閉ボーダエントリーのリスト”には、（ｋ＋１）番目のボーダのエントリーが追加される。
【００５９】
図１０に示したＲＭＤの“最後の開ボーダの記録状態”は、空いている状態を表す。すなわち、新たな最後の開ボーダである（ｋ＋２）番目のボーダにいかなるデータも記録されていないことを表す。かかる状態の媒体がローディングされれば、データ記録及び／または再生装置は、追記型の情報記録媒体に最終的に記録されたＲＭＤの“最後の開ボーダの記録状態”から最後の開ボーダの状態をホストに知らせる。ホストは、（ｋ＋２）番目の最後の開ボーダにいかなる記録モードでデータを記録するかを決定した後、記録命令を下す。
【００６０】
追記型の情報記録媒体の最終化のために最後のボーダを閉じる場合、新たな最後のボーダをデータ領域に生成させる必要はない。前述したように、媒体を最終化すれば、ＴＤＤＳ及びＴＤＦＬのような最終的な媒体管理情報をＦＤＭＡに記録することによって、今後、データ記録及び／または再生装置は、ＦＤＭＡをアクセスすることによって、媒体の最終化如何を判別できる。または、最終的に記録されたＲＭＤを得、これから得られた最後のボーダエントリーの状態情報から媒体の最終化如何を判別できる。
【００６１】
図１１は、本発明の一実施形態によるデータ記録及び／または再生装置のブロック図である。図１１に示すように、本実施形態による装置は、記録／読み取り部１、制御部２及びメモリ３を備える。追記型の情報記録媒体１０は、図１または図２に示した本発明の実施形態による追記型の情報記録媒体である。
【００６２】
記録／読み取り部１は、制御部２の制御によって追記型の情報記録媒体１０にデータを記録及び／または再生する。データの記録時、記録されたデータを検証するために、記録後に再び記録されたデータを読み取る。制御部２は、本実施形態によるデータ記録及び／または再生装置の全体動作を制御する。追記型の情報記録媒体１０がデータ記録及び／または再生装置にローディングされた初期時点で、データ記録及び／または再生装置は、追記型の情報記録媒体１０から最終的にアップデートされたＲＭＤ、ＴＤＤＳ及びＴＤＦＬなどの情報を読み取ってメモリ３に保存する。次いで、シーケンシャルレコーディングモードまたはランダムレコーディングモードで追記型の情報記録媒体１０の最後の開ボーダにユーザーデータが記録され、ＲＭＤをアップデートする必要が発生すれば、制御部２は、メモリ３に保存された、追記型の情報記録媒体１０から読み取られたＲＭＤを参照してアップデートされたＲＭＤを生成する。
【００６３】
以下、図１０に示したデータ記録及び／または再生装置により行われる、本発明の一実施形態による追記型の情報記録媒体にデータを記録する方法について説明する。図１２は、本発明の一実施形態によるデータ記録方法のフローチャートである。
【００６４】
図示していないが、追記型の情報記録媒体１０がデータ記録及び／または再生装置にローディングされれば、追記型の情報記録媒体１０の使用のための初期化が行われる。すなわち、制御部２は、リードイン及び／またはリードアウト領域から追記型の情報記録媒体１０の使用のための基本的な制御情報、最終的にアップデートされたＴＤＦＬ、ＴＤＤＳ及びＲＭＤを読み取ってメモリ３に保存する。
【００６５】
制御部２は、ＲＭＤから最後のボーダの状態、開始アドレス及びＬＲＡを得る。制御部２は、最後のボーダの開始アドレス及びＬＲＡから最終的にアップデートされたファイルシステムが記録された位置を読み取ってメモリ３に保存する。そして、制御部２は、ＲＭＤの“最後の開ボーダの記録状態”を得た後、最後の開ボーダの状態をホストに知らせる。
【００６６】
追記型の情報記録媒体１０の使用のための初期化が行われた後、ホスト（図示せず）から追記型の情報記録媒体１０にユーザーデータの記録命令と共にユーザーデータが入力されれば（Ｓ８１０）、制御部２は、ユーザーデータを追記型の情報記録媒体１０の最後の開ボーダにシーケンシャルレコーディングモードまたはランダムレコーディングモードで記録する（Ｓ８３０）。
【００６７】
ホストは、制御部２から伝達された最後の開ボーダの記録状態に関する情報に基づいて、データ記録モードを決定する。すなわち、“最後の開ボーダの記録状態”が最後の開ボーダにいかなるデータも記録されていないことを表す場合、ホストは、最後の開ボーダにいかなる記録モードでデータを記録するかを決定した後、記録命令を制御部２に下す。しかし、“最後の開ボーダの記録状態”が最後の開ボーダにランダムレコーディングモードまたはシーケンシャルレコーディングモードのうち一つのモードで既にデータが一部記録されたことを表す場合、ホストは、既に使われた記録モードによって新たなデータを記録することを制御部２に命令する。
【００６８】
データ記録及び／または再生装置は、ＲＭＤのアップデートのための所定時点に、メモリ３に保存された追記型の情報記録媒体１０から読み取られた以前のＲＭＤを参照してアップデートされたＲＭＤを生成した後、ＲＭＤ領域に記録する（Ｓ８５０）。ＲＭＤの構造は、図４に示した通りであり、前述したように、最後の開ボーダにランダムレコーディングモードまたはシーケンシャルレコーディングモードのうちいかなるモードでデータが記録されたかによって、ＲＭＤに含まれる“最後の開ボーダの記録状態”の内容は異なる。
【００６９】
図１３は、図１２に示したＳ８３０の一実施形態を示す図である。特に、図１３は、最後の開ボーダにシーケンシャルレコーディングモードでデータを記録した後に閉じる過程を示す図である。
【００７０】
最後の開ボーダにユーザーデータをＲ−ＺＯＮＥ単位で記録した後（Ｓ８３１）、ユーザーまたはホストの命令によって最後の開ボーダを閉じる場合、制御部２は、最後の開ボーダの開始位置からユーザーデータが記録された最後の位置までの区間を最後の閉ボーダとして決定する（Ｓ８３３）。
【００７１】
制御部２は、前記最後の閉ボーダに含まれた少なくとも一つのＲ−ＺＯＮＥを一つのＲ−ＺＯＮＥに合併する（Ｓ８３５）。前述した図９Ａ及び図９Ｂを参照して、Ｓ８３３及びＳ８３５についての理解を高めうる。
【００７２】
最後の開ボーダを閉じる場合、前述したように、制御部２は、アップデートされたＲＭＤを生成した後に追記型の情報記録媒体のＲＭＤ領域に記録する。一方、ＲＭＤのアップデート時期は、多様な方式で決定できる。例えば、所定の周期ごとにＲＭＤをアップデートするか、１回のレコーディングオペーレーションが完了すればアップデートするか、または追記型の情報記録媒体１０に記録されたユーザーデータの量が所定量となればアップデートするなどの方式でＲＭＤをアップデートできる。
【００７３】
以下では、本発明によってＲＭＤが記録された追記型の情報記録媒体１０のデータ再生方法を説明する。本実施形態によるデータ再生装置は、図１０に示したデータ記録及び／再生装置を利用する。ただし、再生専用の装置であるので、記録／読み取り部１は、読み取り部に対応し、制御部２は、データの読み取りに関連した機能のみを行う。
【００７４】
図１４は、本発明の一実施形態によるデータ再生方法のフローチャートである。追記型の情報記録媒体１０がデータ再生装置にローディングされれば（Ｓ９１０）、追記型の情報記録媒体１０に最終的にアップデートされたＲＭＤを読み取ってメモリ３に保存する（Ｓ９３０）。
【００７５】
追記型の情報記録媒体１０に最終的にアップデートされたＲＭＤを読み取る過程は、追記型の情報記録媒体１０の使用のための初期化時に行われる。すなわち、制御部２は、リードイン及び／またはリードアウト領域から追記型の情報記録媒体１０の使用のための基本的な制御情報、最終的にアップデートされたＴＤＦＬ、ＴＤＤＳ及びＲＭＤを読み取ってメモリ３に保存する。
【００７６】
制御部２は、図４に示したような構造を有するＲＭＤから最後のボーダの状態、開始アドレス及びＬＲＡを得る（Ｓ９５０）。制御部２は、最後のボーダの開始アドレス及びＬＲＡから最終的にアップデートされたファイルシステムが記録された位置を決定する（Ｓ９７０）。例えば、ＵＤＦファイルシステムの場合、アンカーポイントは、ボーダ内の（１）論理的なセクタ番号２５６、（２）最後の論理的なセクタ番号−２５６及び（３）最後の論理的なセクタ番号のうち少なくとも二つである。したがって、最後のボーダの開始アドレス及びＬＲＡからファイルシステムが記録された位置が分かる。
【００７７】
最後のボーダが開状態であり、いかなるデータも記録されていない場合には、最後のボーダに最終的にアップデートされたファイルシステムが記録されないこともある。かかる場合には、ＲＭＤの閉ボーダエントリーのリスト４３０から最後に使われた後に閉ボーダの開始アドレス及びＬＲＡを得る。最後の閉ボーダの開始アドレス及びＬＲＡから、最終的にアップデートされたファイルシステムが記録された位置が分かる。
【００７８】
制御部２は、追記型の情報記録媒体１０に記録された最終的にアップデートされたファイルシステムを読み取った後に再生する（Ｓ９９０）。ファイルシステムを再生するというのは、制御部２が読み取られたファイルシステムを解釈して、追記型の情報記録媒体１０に記録されたユーザーデータの種類、記録位置及びディレクトリ構造などを認識するということを意味する。
【００７９】
図示していないが、ホストは、制御部２から伝達された最後の開ボーダの記録状態に関する情報に基づいて、データ再生モードを決定する。すなわち、ホストは、“最後の開ボーダの記録状態”から最後の開ボーダにランダムレコーディングモードまたはシーケンシャルレコーディングモードのうちいかなるモードでデータが記録されたかを知った後、その記録モードによってデータを再生することを制御部２に命令する。
【００８０】
本発明は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。
【００８１】
これまで、本発明について、その望ましい実施形態を中心に述べた。当業者は、本発明が、本発明の本質的な特性から逸脱しない範囲で、変形された形態に具現可能であるということを理解できるであろう。本発明の範囲は、前述した説明ではなく、特許請求の範囲に表れており、それと同等な範囲内にあるあらゆる相違点は、本発明に含まれていると解釈されねばならない。
【図面の簡単な説明】
【００８２】
【図１】本発明の一実施形態による単一記録層の追記型の情報記録媒体の構造の一例を示す図である。
【図２】本発明の一実施形態による二重記録層の追記型の情報記録媒体の構造の一例を示す図である。
【図３Ａ】ＲＭＤ領域にＲＭＤをアップデートする方法を説明するための図である。
【図３Ｂ】ＲＭＤ領域にＲＭＤをアップデートする方法を説明するための図である。
【図４】本発明の一実施形態によるＲＭＤフォーマットを示す図である。
【図５】図４に示した最後のボーダエントリーの一例を示す図である。
【図６】最後の開ボーダにランダムレコーディングモードでデータが記録された場合の最後の開ボーダの記録状態を示す図である。
【図７】最後の開ボーダにシーケンシャルレコーディングモードでデータが記録された場合の最後の開ボーダの記録状態を示す図である。
【図８Ａ】本発明の一実施形態によってランダムレコーディングモードでデータが記録された最後のボーダを閉じる過程を説明するための図である。
【図８Ｂ】本発明の一実施形態によってランダムレコーディングモードでデータが記録された最後のボーダを閉じる過程を説明するための図である。
【図９Ａ】本発明の一実施形態によってシーケンシャルレコーディングモードでデータが記録された最後のボーダを閉じる過程を説明するための図である。
【図９Ｂ】本発明の一実施形態によってシーケンシャルレコーディングモードでデータが記録された最後のボーダを閉じる過程を説明するための図である。
【図１０】最後の開ボーダを閉じた後にアップデートされたＲＭＤの一例を示す図である。
【図１１】本発明の一実施形態によるデータ記録及び／または再生装置のブロック図である。
【図１２】本発明の一実施形態によるデータの記録方法のフローチャートである。
【図１３】図１２に示したＳ８３０の一実施形態を示す図である。
【図１４】本発明の一実施形態によるデータの再生方法のフローチャートである。
【図１】
2007519155.tif 000003
【図２】
2007519155.tif 000004
【図３Ａ】
2007519155.tif 000005
【図３Ｂ】
2007519155.tif 000006
【図４】
2007519155.tif 000007
【図５】
2007519155.tif 000008
【図６】
2007519155.tif 000009
【図７】
2007519155.tif 000010
【図８Ａ】
2007519155.tif 000011
【図８Ｂ】
2007519155.tif 000012
【図９Ａ】
2007519155.tif 000013
【図９Ｂ】
2007519155.tif 000014
【図１０】
2007519155.tif 000015
【図１１】
2007519155.tif 000016
【図１２】
2007519155.tif 000017
【図１３】
2007519155.tif 000018
【図１４】
2007519155.tif 000019
【国際調査報告】
2007519155.tif 000020